(57)【要約】【課題】シートカバーの破損によって跳上ドアの外部への漏水を防止し得る跳上ドアの漏水防止構造を提供する。【解決手段】ドアアウタパネルとドアインナパネル４を組み合わせ且つ前記ドアインナパネル４の外面にドアトリム１２を取り付けて跳上ドアを構成する跳上ドアの漏水防止構造であって、ドアインナパネル４には、作業用のサービスホール６を形成すると共にサービスホール６を塞ぎ得るシートカバー８を張着し、ドアトリム１２には、シートカバー８を支持し得るよう支持部材１３を設ける。これにより、シートカバー８に水１１の重さが作用してもシートカバー８が撓むことを抑制し、水１１の重さによるシートカバー８の破損を防止して跳上ドアの外部への漏水を防止することができる。【選択図】        図４
2004306678.tif 000002
【特許請求の範囲】
【請求項１】
ドアアウタパネルとドアインナパネルを組み合わせ且つ前記ドアインナパネルの外面にドアトリムを取り付けて跳上ドアを構成する跳上ドアの漏水防止構造であって、前記ドアインナパネルには、作業用のサービスホールを形成すると共にサービスホールを塞ぎ得るシートカバーを張着し、前記ドアトリムには、シートカバーを支持し得るよう支持部材を設けたことを特徴とする跳上ドアの漏水防止構造。
【請求項２】
支持部材は、跳上ドアの跳ね上げ位置によりシートカバー上に水が流入した際に、シートカバーの表面状態を維持し得るよう形成された請求項１記載の跳上ドアの漏水防止構造。
【請求項３】
支持部材は、跳上ドアの跳ね上げ位置によりシートカバー上に水が流入した際に、シートカバー上の水をドアインナパネルに流し得るようシートカバーを傾斜面とする請求項１又は２に記載の跳上ドアの漏水防止構造。
【請求項４】
支持部材は、ドアトリムリブで形成された請求項１、２又は３に記載の跳上ドアの漏水防止構造。
【発明の詳細な説明】
【０００１】
【発明の属する技術分野】
本発明は、バックドア等の跳上ドアの漏水防止構造に関するものである。
【０００２】
【従来の技術】
一般にハッチバック式の車両の後部には、図８〜図１１に示す如く、上下方向へ回動し得る跳上ドアのバックドア１を備えており、バックドア１は、所定の内部空間２を形成するよう、車両の外方に面するドアアウタパネル３と、車両の内方側へ位置するドアインナパネル４を組み合わせ、更にドアインナパネル４の内方側の外面には、所定の隙間距離Ｌを介してドアトリム５を取り付けている。
【０００３】
ドアインナパネル４には、キーシリンダの取付や修理の際に使用する作業用のサービスホール６を形成すると共に、サービスホール６の周囲にドアアウタパネル３側へ凹む凹部７を備え、凹部７には、サービスホール６を塞ぎ得るようビニール材質のシートカバーのサービスホールカバー８をブチル接着剤等で張着している。図９中、９はブチル接着剤等の接着部分、１０は内部空間２に位置するウインドウレギュレータ（図示せず）により開閉し得るウインドウガラスである。
【０００４】
バックドア１において、キーシリンダやウインドウガラスとの隙間等からバックドア１の内部空間２に雨水等の水１１が浸入した際には、ドアアウタパネル３及びドアインナパネル４の下部に形成された排水孔（図示せず）から水１１を排水するようにしている。ここで、跳上ドアのバックドア１の漏水防止構造に関連する先行技術文献としては、下記の特許文献等が既に存在している。
【０００５】
【特許文献１】
特開平８−１０８７５０号公報
【特許文献２】
特願平８−２３０４６８号公報
【０００６】
【発明が解決しようとする課題】
しかしながら、バックドア１の内部空間２に雨水等の水１１が浸入している際にバックドア１を開放して略水平な跳ね上げ位置に配置すると、水１１がサービスホールカバー８上に流入し、図１１に示す如く、サービスホールカバー８は水１１の重さで撓み、重さが限界以上の場合には破損してドアトリム５側よりバックドア１の外部へ漏水するという問題があった。又、水１１の重さによってはブチル接着剤等の接着部分９が剥離し、同様にドアトリム５側よりバックドア１の外部へ漏水するという問題があった。
【０００７】
本発明は上述の実情に鑑みてなしたもので、シートカバーの破損によって跳上ドアの外部への漏水を防止し得る跳上ドアの漏水防止構造を提供することを目的としている。
【０００８】
【課題を解決するための手段】
本発明の請求項１は、ドアアウタパネルとドアインナパネルを組み合わせ且つ前記ドアインナパネルの外面にドアトリムを取り付けて跳上ドアを構成する跳上ドアの漏水防止構造であって、前記ドアインナパネルには、作業用のサービスホールを形成すると共にサービスホールを塞ぎ得るシートカバーを張着し、前記ドアトリムには、シートカバーを支持し得るよう支持部材を設けたことを特徴とする跳上ドアの漏水防止構造、に係るものである。
【０００９】
本発明の請求項２は、支持部材は、跳上ドアの跳ね上げ位置によりシートカバー上に水が流入した際に、シートカバーの表面状態を維持し得るよう形成された請求項１記載の跳上ドアの漏水防止構造、に係るものである。
【００１０】
本発明の請求項３は、支持部材は、跳上ドアの跳ね上げ位置によりシートカバー上に水が流入した際に、シートカバー上の水をドアインナパネルに流し得るようシートカバーを傾斜面とする請求項１又は２に記載の跳上ドアの漏水防止構造、に係るものである。
【００１１】
本発明の請求項４は、支持部材は、ドアトリムリブで形成された請求項１、２又は３に記載の跳上ドアの漏水防止構造、に係るものである。
【００１２】
このように、請求項１によれば、跳上ドアを略水平な跳ね上げ位置に配置してシートカバー上に水が流入した際には、支持部材によりシートカバーを支持するので、シートカバーに水の重さが作用してもシートカバーが撓むことを抑制すると共にシートカバーの接続部分の剥離を防止し、結果的に、水の重さによるシートカバーの破損を防止して跳上ドアの外部への漏水を防止することができる。
【００１３】
請求項２に示す如く、支持部材は、跳上ドアの跳ね上げ位置によりシートカバー上に水が流入した際に、シートカバーの表面状態を維持し得るよう形成されると、水の重さによりシートカバーが撓むことを好適に抑制することができるため、シートカバー上に水が溜まることをより防止でき、更に、シートカバーの接続部分の剥離を容易に防止することができる。
【００１４】
請求項３に示す如く、支持部材は、跳上ドアの跳ね上げ位置によりシートカバー上に水が流入した際に、シートカバー上の水をドアインナパネルに流し得るようシートカバーを傾斜面とすると、水の重さによりシートカバーが撓むことを確実に抑制することができるため、シートカバー上に水が溜まることをより一層防止でき、更に、シートカバーの接続部分の剥離を好適に防止することができる。
【００１５】
請求項４に示す如く、支持部材は、ドアトリムリブで形成されると、簡易な形状でシートカバーの表面状態を維持し得るので、製造コストを低減することができる。
【００１６】
【発明の実施の形態】
以下本発明の実施の形態を図面を参照しつつ説明する。
【００１７】
図１〜図４は本発明を実施する形態の第一例を示すものであり、図８〜図１１と同一の符号を付した部分は同一物を表わしている。
【００１８】
第一例の跳上ドアの漏水防止構造における跳上ドアをバックドア１を例にして示すと、バックドア１を構成するドアトリム１２は、ドアインナパネル４のサービスホール６に対抗する面１２ａに、支持部材のドアトリムリブ１３（図では四枚）を所定の間隔を介して立設しており、ドアトリムリブ１３の先端部１４は、ドアインナパネル４に張着されたサービスホールカバー８を支持している。ここで、ドアトリム１２とドアトリムリブ１３は一体に構成することが好ましい。
【００１９】
又、ドアトリムリブ１３は、ドアインナパネル４とドアトリム１２の間の隙間距離Ｌに略等しい高さとすると、ドアトリムリブ１３の先端部１４は、ドアインナパネル４に張着されたサービスホールカバー８の表面状態を維持することができる。ここで、ドアトリムリブ１３は、他の枚数でもよいし、上下方向、左右方向、格子状に延在して形成されてもよい。
【００２０】
以下、本発明を実施する形態の第一例の作用を説明する。
【００２１】
バックドア１の内部空間２に雨水等の水１１が浸入している際にバックドア１を開放することにより略水平な跳ね上げ位置に配置してサービスホールカバー８上に水１１が流入した場合には、ドアトリムリブ１３でサービスホールカバー８を支持することにより、水１１を、サービスホールカバー８上からドアインナパネル４の凹部７を介してドアインナパネル４の外周方向へ流下させる。なお、サービスホールカバー８上であってドアトリムリブ１３に支持されていない部分には、図４に示す如く、僅かに水１１が溜まる虞れがあるが、サービスホールカバー８及びブチル接着剤等の接着部分９へ影響を与えることがない。
【００２２】
このように、第一例によれば、跳上ドアのバックドア１を略水平な跳ね上げ位置に配置してサービスホールカバー８上に水１１が流入する際には、支持部材のドアトリムリブ１３によりサービスホールカバー８を支持するので、サービスホールカバー８に水１１の重さが作用してもサービスホールカバー８が撓むことを抑制すると共に、サービスホールカバー８のブチル接着剤等の接着部分９の剥離を防止し、結果的に、水１１の重さによるサービスホールカバー８の破損を防止してサービスホールカバー８からドアトリム１２及びバックドア１の外部への漏水を防止することができる。又、サービスホールカバー８の破損を防止し得るので、サービスホールカバー８の耐久性を向上させて維持コストを低減することができる。
【００２３】
支持部材のドアトリムリブ１３は、跳上ドアのバックドア１の跳ね上げ位置により、サービスホールカバー８上に水１１が流入した際に、サービスホールカバー８の表面状態を維持し得るよう形成されると、水１１の重さによりサービスホールカバー８が撓むことを好適に抑制することができるため、サービスホールカバー８上に水１１が溜まることをより防止でき、更に、サービスホールカバー８の接着部分９の剥離を容易に防止することができる。
【００２４】
支持部材は、ドアトリムリブ１３で形成されると、簡易な形状でサービスホールカバー８の表面状態を維持し得るので、製造コストを低減することができる。又、ドアトリム１２とドアトリムリブ１３を一体に構成した際には、製造コストを低減することができる。
【００２５】
図５〜図７は本発明を実施する形態の第二例を示すもので、支持部材のドアトリムリブ１３の形状を変更したものであり、第一例と同一の符号を付した部分は同一物を表わしている。
【００２６】
第二例の跳上ドアの漏水防止構造における跳上ドアをバックドア１を例にして示すと、バックドア１を構成するドアトリム１５は、第一例と略同様に、ドアインナパネル４のサービスホール６に対抗する面１５ａに、支持部材のドアトリムリブ１６（図では四枚）を所定の間隔を介して立設している。ここで、ドアトリム１５とドアトリムリブ１６は一体に構成することが好ましい。
【００２７】
又、ドアトリムリブ１６は、ドアトリムリブ１６の先端部１７によりサービスホールカバー８に傾斜面を構成するよう、夫々の高さを変更して形成されており、具体的には、凹部７に近接するドアトリムリブ１６ａ（両側の二枚）は、第一例と略同様なドアインナパネル４とドアトリム１５の間の隙間距離Ｌに略等しい高さを備えており、中央寄りのドアトリムリブ１６ｂ（中央の二枚）は、ドアトリムリブ１６ｂの延在方向の中央部１６ｃを最も高くするよう上方に突出させると共に、ドアトリムリブ１６ｂの延在方向の端部１６ｄを、両側のドアトリムリブ１６ａの高さに略等しくするよう形成されており、全体的には、サービスホールカバー８の中央部を凸状にして周囲方向へ向かって下り傾斜するように構成されている。ここで、ドアトリムリブ１６は、他の枚数でもよいし、上下方向、左右方向、格子状に延在して形成されてもよい。
【００２８】
以下、本発明を実施する形態の第二例の作用を説明する。
【００２９】
このように、第二例によれば、第一例と略同様な作用効果を得ることができるほか、支持部材のドアトリムリブ１６は、バックドア１の跳ね上げ位置によりサービスホールカバー８上に水１１が流入した際に、サービスホールカバー８上の水１１をドアインナパネル４に流し得るようサービスホールカバー８を傾斜面としたため、水の重さによりサービスホールカバー８が撓むことを確実に抑制することができるので、サービスホールカバー８上に水１１が溜まることをより一層防止できると共にサービスホールカバー８の接続部分の剥離を好適に防止することができる。すなわち、バックドア１の跳ね上げ位置でサービスホールカバー８上に水１１が流入した際には、第一例に比べて、水１１をドアインナパネル４の外周方向へ速やかに流下させることができる。更に、サービスホールカバー８上であってドアトリムリブ１６に支持されていない部分には、第一例と異なり、水１１が溜まることがない。
【００３０】
尚、本発明の跳上ドアの漏水防止構造は、上述の形態例にのみ限定されるものではなく、跳上ドアはバックドア以外のサイドドアでもよいこと、支持部材の形状はシートカバーに水が溜まることを防止し得るならば他の形状でもよいこと、又、シートカバーに傾斜面を設ける際にはドアトリムリブ等の支持部材に傾斜面も設ける他、段差状の形状等とすることもできる。更に、支持部材を別品として設定してもよいこと、その他、本発明の要旨を逸脱しない範囲内において種々変更を加え得ることは勿論である。
【００３１】
【発明の効果】
上記した本発明の跳上ドアの漏水防止構造によれば、跳上ドアを略水平な跳ね上げ位置に配置してシートカバー上に水が流入した際には、支持部材によりシートカバーを支持するので、シートカバーに水の重さが作用してもシートカバーが撓むことを抑制すると共にシートカバーの接続部分の剥離を防止し、結果的に、水の重さによるシートカバーの破損を防止して跳上ドアの外部への漏水を防止することができるという種々の優れた効果を奏し得る。
【図面の簡単な説明】
【図１】本発明を実施する形態の第一例の跳上ドアの漏水防止構造におけるドアトリムを示す斜視図である。
【図２】本発明を実施する形態の第一例の跳上ドアの漏水防止構造を構成した状態を示す断面図である。
【図３】図２のＩＩＩ−ＩＩＩ方向矢視図である。
【図４】シートカバーに水が流入した状態を示す断面図である。
【図５】本発明を実施する形態の第二例の跳上ドアの漏水防止構造におけるドアトリムを示す斜視図である。
【図６】本発明を実施する形態の第二例の跳上ドアの漏水防止構造を構成した状態を示す断面図である。
【図７】図６のＶＩＩ−ＶＩＩ方向矢視図である。
【図８】ハッチバック式の車両の後部を示す斜視図である。
【図９】従来の跳上ドアを開放した状態（水平状態）を示す断面図である。
【図１０】従来の跳上ドアにおけるシートカバーとドアインナパネルとドアトリムを構成した状態を拡大して示す断面図である。
【図１１】従来の跳上ドアにおけるシートカバーに水が溜まった状態を拡大して示す断面図である。
【符号の説明】
１      バックドア（跳上ドア）
３      ドアアウタパネル
４      ドアインナパネル
６      サービスホール
８      サービスホールカバー（シートカバー）
１１      水
１２      ドアトリム
１３      ドアトリムリブ（支持部材）
１５      ドアトリム
１６      ドアトリムリブ（支持部材）
【図１】
2004306678.tif 000003
【図２】
2004306678.tif 000004
【図３】
2004306678.tif 000005
【図４】
2004306678.tif 000006
【図５】
2004306678.tif 000007
【図６】
2004306678.tif 000008
【図７】
2004306678.tif 000009
【図８】
2004306678.tif 000010
【図９】
2004306678.tif 000011
【図１０】
2004306678.tif 000012
【図１１】
2004306678.tif 000013